(57)【要約】      （修正有）【課題】どのような路面の状況にも対応し、安定して歩行することを補助する杖を提供する。【解決手段】脚座１０と、枢接筒２０と、中間体２１とを含んでなり、脚座が三本の脚フレーム１１を具え、中央に設けられた球体１３と、底部に設けられた弾性のカバー１２とを具える。枢接筒は二つの半筒体２２を合わせて形成され、それぞれの半筒体の上半部に形成された位置決め空間２３１と、下半部に形成された枢接空間２４とを含み、位置決め空間は支持柱を設け、半筒体の両側端縁部に接続面２２３が設けられる。中間体が位置決め空間と枢接空間との間に設けられ、ボルト２５１を穿設し、枢接空間が脚座の球体を設けるために供し、位置決め空間が支持柱を固定するため、二つの半筒体をボルトを穿設して組み合わせると、球体と脚座が枢接して、支持柱が固定される。【選択図】図１
0003168953.tif 000002
【実用新案登録請求の範囲】
【請求項１】
脚座と、枢接筒と、中間体と、を含んでなり、
該脚座は、三本の脚フレームを具えてなり、脚フレームと脚フレームとの間には同じ挟角を有し、脚座の中央には球体を有し、底部には弾性のカバーを有し、
該枢接筒は、二つの半筒体を合わせて形成され、それぞれの半筒体の上半部に形成された位置決め空間と、下半部に形成された枢接空間とを含んでなり、該位置決め空間には支持柱が設けられ、枢接空間は半球型の空間よりも大きく、半筒体は両側端縁部に接続面を設け、
該中間体は、位置決め空間と枢接空間との間に設けられ、ボルトが穿設され、
枢接空間には脚座の球体が設けられ、位置決め空間は、二つの半筒体をボルトを穿設して組み合わせると、球体と脚座が枢接して、支持柱が固定されることを特徴とする歩行補助器具の支持フレーム。
【請求項２】
前記位置決め空間は、上方に係止リングを設け、ボルトを穿設して支持柱を位置決めし、半筒体は外側に多角形の溝を設け、多角形のナットでボルトを固定することを特徴とする請求項１に記載の歩行補助器具の支持フレーム。
【請求項３】
前記半筒体の接続面は、それぞれ平面であることを特徴とする請求項１に記載の歩行補助器具の支持フレーム。
【請求項４】
前記半筒体の接続面は、凹面で、もう一方の半筒体の接続面は凸面で、互いに組み合わせて接続することを特徴とする請求項１に記載の歩行補助器具の支持フレーム。
【請求項５】
前記半筒体の接続面は、内側に傾斜した内斜面で、もう一方の半筒体の接続面は外側に傾斜した外斜面で、互いに組み合わせて接続することを特徴とする請求項１に記載の歩行補助器具の支持フレーム。
【請求項６】
前記位置決め空間は、内部に円柱体を有し、円柱体の内部に円錐溝を有し、該円錐溝に先端が尖った支持柱が固定されることを特徴とする請求項１に記載の歩行補助器具の支持フレーム。
【請求項７】
前記半筒体は、外側の四角にそれぞれ柱筒を設け、もう一方の半筒体の外側の四角にもそれぞれ柱筒を設け、ネジとナットで固定することを特徴とする請求項1に記載の歩行補助器具の支持フレーム。
【考案の詳細な説明】
【技術分野】
【０００１】
この考案は、歩行補助器具の支持フレームであって、特に体の不自由な人や老齢者が、歩行時に体を支持するため使用することができる歩行補助器具の支持フレームに関する。
【背景技術】
【０００２】
従来の杖は、体の不自由な人や老齢者が歩行する場合に補助の道具である。
【０００３】
行動の不便な人が歩行する場合に、その体を支持して、安定して歩行できるようにする。
【０００４】
しかしながら、路面には、平坦な場所、坂道、凹凸などがあり、平らではない場所も多く、単一な杖では様々な路面の状況に対応することができない。
【０００５】
よって、杖の底部に回動自在な底座が設けられた。
【０００６】
前述の杖は、底部に球体が設けられ、底部には円形の溝が形成され、該球体が枢接される。
【０００７】
よって、該底座が様座な角度、斜面に回動自在に動き、様々な路面に対応することができる。
【０００８】
しかしながら、前述の杖の底座は特定の杖にしか接続することができず、その他一般の杖には設けることができない。或いは雨傘を歩行補助器具として使用する場合にも、該底座を設けることができないため、実用的でない。
【考案の開示】
【考案が解決しようとする課題】
【０００９】
この考案は、どのような路面の状況にも対応し、安定して歩行することを補助する歩行補助器具の支持フレームを提供することを課題とする。
【課題を解決するための手段】
【００１０】
そこで、本考案者は従来の技術に見られる欠点に鑑みて鋭意研究を重ねた結果、  脚座と、枢接筒と、中間体と、を含んでなり、
該脚座が、三本の脚フレームを具えてなり、脚フレームと脚フレームとの間には同じ挟角が形成され、脚座の中央には球体が設けられ、底部には弾性のカバーが設けられ、
該枢接筒が、二つの半筒体を合わせて形成し、それぞれの半筒体の上半部に形成された位置決め空間と、下半部に形成された枢接空間とを含んでなり、該位置決め空間は支持柱を設けるために供し、枢接空間が半球型の空間よりも大きく形成され、半筒体は両側端縁部に接続面を設けてなり、
該中間体が、位置決め空間と枢接空間との間に設けられ、ボルトを穿設するために供し、
枢接空間が脚座の球体を設けるために供し、位置決め空間が支持柱を固定するため、二つの半筒体をボルトを穿設して組み合わせると、球体と脚座が枢接して、支持柱が固定される構造からなる歩行補助器具の支持フレームによって課題を解決できる点に着眼し、かかる知見に基づいて本考案を完成させた。
【００１１】
以下、この考案について具体的に説明する。
請求項１に記載の歩行補助器具の支持フレームは、脚座と、枢接筒と、中間体と、を含んでなり、
該脚座が、三本の脚フレームを具えてなり、脚フレームと脚フレームとの間には同じ挟角が形成され、脚座の中央には球体が設けられ、底部には弾性のカバーが設けられ、
該枢接筒が、二つの半筒体を合わせて形成し、それぞれの半筒体の上半部に形成された位置決め空間と、下半部に形成された枢接空間とを含んでなり、該位置決め空間は支持柱を設けるために供し、枢接空間が半球型の空間よりも大きく形成され、半筒体は両側端縁部に接続面を設けてなり、
該中間体が、位置決め空間と枢接空間との間に設けられ、ボルトを穿設するために供し、
枢接空間が脚座の球体を設けるために供し、位置決め空間が支持柱を固定するため、二つの半筒体をボルトを穿設して組み合わせると、球体と脚座が枢接して、支持柱が固定される構造からなる。
【００１２】
請求項２に記載の歩行補助器具の支持フレームは、請求項１における位置決め空間が、上方に係止リングを設けてなり、ボルトを穿設して支持柱を位置決めし、半筒体が外側に多角形の溝を設けてなり、多角形のナットでボルトを固定するために供する構造からなる。
【００１３】
請求項３に記載の歩行補助器具の支持フレームは、請求項１における半筒体の接続面が、それぞれ平面である。
【００１４】
請求項４に記載の歩行補助器具の支持フレームは、請求項１における半筒体の接続面が、凹面であって、もう一方の半筒体の接続面が凸面で、互いに組み合わせて接続する。
【００１５】
請求項５に記載の歩行補助器具の支持フレームは、請求項１における半筒体の接続面が、内側に傾斜した内斜面で、もう一方の半筒体の接続面が外側に傾斜した外斜面で、互いに組み合わせて接続する。
【００１６】
請求項６に記載の歩行補助器具の支持フレームは、請求項１における位置決め空間が、内部に円柱体を設けて、円柱体の内部に円錐溝が形成され、該円錐溝に先端が尖った支持柱が固定される。
【００１７】
請求項７に記載の歩行補助器具の支持フレームは、請求項１における半筒体が、外側の四角にそれぞれ柱筒を設けてなり、もう一方の半筒体の外側の四角にもそれぞれ柱筒を設けてなり、ネジとナットで固定するために供する構造からなる。
【考案の効果】
【００１８】
この考案による歩行補助器具の支持フレームは、どのような路面にも対応することができて実用的であるという効果を有する。
【考案を実施するための最良の形態】
【００１９】
この考案は、どのような路面の状況にも対応し、安定して歩行することを補助する歩行補助器具の支持フレームであって、脚座と、枢接筒と、中間体と、を含んでなり、該脚座が、三本の脚フレームを具えてなり、脚フレームと脚フレームとの間には同じ挟角が形成され、脚座の中央には球体が設けられ、底部には弾性のカバーが設けられ、該枢接筒が、二つの半筒体を合わせて形成し、それぞれの半筒体の上半部に形成された位置決め空間と、下半部に形成された枢接空間とを含んでなり、該位置決め空間は支持柱を設けるために供し、枢接空間が半球型の空間よりも大きく形成され、半筒体は両側端縁部に接続面を設けてなり、該中間体が、位置決め空間と枢接空間との間に設けられ、ボルトを穿設するために供し、枢接空間が脚座の球体を設けるために供し、位置決め空間が支持柱を固定するため、二つの半筒体をボルトを穿設して組み合わせると、球体と脚座が枢接して、支持柱が固定される構造からなる歩行補助器具の支持フレームの構造と特徴を詳述するために具体的な実施例を挙げ、図示を参照にして以下に説明する。
【実施例】
【００２０】
図１から図４は、この考案の杖を示した説明図である。
【００２１】
図面に開示するように、この考案は、杖、ステッキ、ステッキ傘、雨傘など歩行時に体を支持するために供する支持柱１と、該支持柱１の底部に設けて、底座を緩め、及び安定させるために供し脚座１０と、枢接筒２０と、中間体２１とを含んでなる部材から形成する。
【００２２】
該脚座１０は、三本の脚フレーム１１を含んでなる。該脚フレーム１１と脚フレーム１１との間には同じ挟角（この実施形態での挟角は１２０度）が形成され、平均に力が分配されて安定、固定される。
【００２３】
該脚フレーム１１の底部には弾性のカバー１２が設けられ、脚座１０の上端部中央には球体１３が固定して設けられる。
【００２４】
該枢接筒２０は、二つの半筒体２２、２３を合わせて形成する。
【００２５】
それぞれの半筒体２２、２３の上半部に形成された位置決め空間２２１、２３１と、中間に形成された中間体２１と、下半部に形成された枢接空間２４とを含んでなる。
【００２６】
該位置決め空間２２１、２３１は、上方に係止リングを凸設する。該位置決め空間２２１、２３１は、支持柱１を設けるために供する。
【００２７】
位置決め空間２２１、２３１はボルト（押しネジ）２９を支持柱１に穿設して位置決めする。
【００２８】
半筒体２３は外側に多角形の溝２３１０を設けて、多角形のナット２３１１を設けるために供し、該ボルト２９で支持柱１を固定するか、或いは粘着財で支持柱１を円柱体２８の円錐溝２８１内に位置決めする。
【００２９】
枢接空間２４が半球型の空間であって、球体１３の半分以上の空間よりも大きく形成される。
【００３０】
半筒体２２、２３は両側端縁部に接続面２２３、２３３を設けてなる。
【００３１】
半筒体２２の接続面２２３のには凹面が形成され、もう一方の半筒体２３の接続面２２３には凸面が形成される。
【００３２】
よって、図４に開示するように、半筒体２２、２３を組み合わせてなる。
【００３３】
該位置決め空間２２１、２３１内に円柱体２８が設けられる。円柱体２８内には円錐溝２８１が形成される。
【００３４】
円錐溝２８１は、先端が尖った支持柱１を固定する。中間体２１は位置決め空間２２１、２３１と枢接空間２４との間に設けられ、ボルト２５１を中間体２１に穿設するために供する。
【００３５】
半筒体２３の中間体２１外側には多角形の溝２３４が設けられ、多角形のナット２５を設けるために供し、ボルト２５１を穿設して固定するために供する。
【００３６】
半筒体２２外側には四角にそれぞれ柱筒２２０が設けられる。もう一方の半筒体２３外側にも四角にそれぞれ柱筒２３０が設けられ、それぞれネジ２６とナット２７を固定するために供する。
【００３７】
この考案の杖は、上述の組み合わせから形成する。
【００３８】
組み合わせる場合、脚座１０上方の球体１３を先に枢接筒２０の枢接空間２４内に設ける。
【００３９】
円柱体２８を位置決め空間２２１、２３１内に設けて、円柱体２８内に支持柱１を固定する。
【００４０】
ボルト２５１と多角形のナット２５で半筒体２２、半筒体２３の二つを固定する。
【００４１】
複数のネジ２６とナット２７で半筒体２２、半筒体２３の二つを固定して、半筒体２２、半筒体２３の二つで円柱体２８（支持柱１）とを挟持して固定し、球体１３を枢接する。
【００４２】
よって、脚座１０が傾いて回転し、杖、支持柱、ステッキ用傘、雨傘など歩行時に人体を補助する支持柱１が反作用力を有効に緩和し、人体のバランスの安定度を高めることができる。
【００４３】
この考案の第二の実施形態では、図５に開示するように、半筒体３２、３３の接続面３３２、３３３をそれぞれ平面に形成し、二つの半筒体３２、３３とを互いに組み合わせてなる。
【００４４】
この考案の第三の実施形態では、図６に開示するように、半筒体４２の接続面４２３を内側に傾斜した内傾斜凹面に形成し、他の半筒体４３の接続面４３３を外側に傾斜した外傾斜凸面に形成する。
【００４５】
よって、半筒体４２、半筒体４３の二つを上下に嵌合して組み合わせて半筒体４２、４３を安定して組み合わせる。
【００４６】
この考案の第四の実施形態では、図７に開示するように、円柱体２８を使用せず、支持柱１を直接、ボルト２９で位置決め空間２２１、２３１内に穿設して固定する。
【００４７】
支持柱１は杖、支持柱など尖っていない形状の支持柱１であって、最初の実施形態のような係止リング２２２、２３２を設ける必要がない。
【００４８】
また、この考案の第五の実施形態では、図８に開示するように、四角形のネジセットが必要なく、枢接筒５０内を円柱体５８に設けて、ボルト５９を支持柱１を穿設して位置決めする。
【００４９】
半筒体２３の外側には多角形の溝２３１０を設けてなり、多角形のナット２３１１を設けるために供し、ボルト２９で固定する。  
【００５０】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００５１】
【図１】この考案の歩行補助器具の支持フレームの第一の実施形態を示した分解図である。
【図２】図１に開示する歩行補助器具の支持フレームを組み合わせた状態を示した説明図である。
【図３】図１に開示する歩行補助器具の支持フレームを縦方向に切断した上体を示した断面図である。
【図４】図１に開示する歩行補助器具の支持フレームを横方向に切断した上体を示した断面図である。
【図５】この考案の歩行補助器具の支持フレームの第二の実施形態を横向きに切断した状態を示した断面図である。
【図６】この考案の歩行補助器具の支持フレームの第三の実施形態を横向きに切断した状態を示した断面図である。
【図７】この考案の歩行補助器具の支持フレームの第四の実施形態を縦方向に切断した状態を示した断面図である。
【図８】この考案の歩行補助器具の支持フレームの第五の実施形態を縦方向に切断した状態を示した断面図である。
【符号の説明】
【００５２】
１       支持柱
１０     脚座
１１     脚フレーム
１２     カバー
１３     球体
２０     枢接筒
２１     中間体
２２     半筒体
２２０   柱筒
２２１   位置決め空間
２２２   係止リング
２２３   接続面
２３     半筒体
２３０   柱筒
２３１   位置決め空間
２３１０ 溝
２３１１ ナット
２３２   係止リング
２３３   接続面
２３４   溝
２４     枢接空間
２５     ナット
２５１   ボルト
２６     ネジ
２７     ナット
２８     円柱体
２８１   円錐溝
２９     ボルト
３２     半筒体
３３     半筒体
３３２   接続面
３３３   接続面  
４２     半筒体
４２３   接続面
４３     半筒体
４３３   接続面
５０     枢接筒
５８     円柱体
５９     ボルト
【図１】
0003168953.tif 000003
【図２】
0003168953.tif 000004
【図３】
0003168953.tif 000005
【図４】
0003168953.tif 000006
【図５】
0003168953.tif 000007
【図６】
0003168953.tif 000008
【図７】
0003168953.tif 000009
【図８】
0003168953.tif 000010